(57)【要約】      （修正有）【課題】箱内部に収容した名刺の汚れを防ぎ、外部から名刺を確認することができ、接着剤を用いずに組み立てできる紙製名刺箱を提供する。【解決手段】蓋体のブランクシート７で、折線ｂ４とｂ６が重なるように折線ｂ５を１８０度折り曲げ、重なった折線ｂ４、ｂ６を９０度折り曲げる。この時に、蓋体外側天板２の下側と蓋体内側天板３の上側の間に窓材のグラシンペーパーまたは透明紙をはさんで接着剤を用いずに蓋体の窓孔を覆って組み立てる。【選択図】図１
0003193124.tif 000002
【実用新案登録請求の範囲】
【請求項１】
蓋体と箱本体からなり箱本体の上部から名刺を収容し、上方から箱本体に被せて箱本体の上部を覆う蓋体において、蓋体の天板部は複数板で構成して、蓋体天板部に名刺確認のため蓋体の外側天板と内側天板に窓孔を設けて、外側天板の下側と内側天板の上側の間に透明の窓材をはさんで接着剤を用いずに蓋体の窓孔を覆ったことを特徴とする紙製名刺箱。
【請求項２】
透明の窓材は、グラシンペーパーまたは透明紙からなる請求項１に記載の紙製名刺箱。
【考案の詳細な説明】
【技術分野】
【０００１】
本考案は、名刺を収容するための紙製名刺箱に関するものである。
【背景技術】
【０００２】
従来、名刺箱には、透明または半透明のプラスチック製の蓋体と箱本体からなるものが多く知られている。また、ダンボール原紙や厚手の板紙製の蓋体と箱本体からなり接着剤等で接着することにより製造され、蓋体の窓孔を透明の窓材で貼付し覆われているものなど存在する。
【先行技術文献】
【非特許文献】
【０００３】
【非特許文献１】登録実用新案第３０７１６５７号
【非特許文献２】登録実用新案第３０９５５８３号
【考案の概要】
【考案が解決しようとする課題】
【０００４】
解決しようとする問題点は、ダンボール原紙や厚手の板紙は不透明であるため名刺箱に収容した名刺を確認するために、名刺箱の上面に確認できる窓孔を設けて内部の名刺が汚れる原因になるため窓孔に透明の窓材を内部から貼付するため接着剤を使用しなければならない。
【０００５】
本考案は、箱内部に収容した名刺の汚れを防ぎ、外部から名刺を確認することができ、接着剤を用いずに組み立てできる紙製名刺箱を提供すること。
【課題を解決するための手段】
【０００６】
本考案は、蓋体と箱本体からなり箱本体の上部から名刺を収容し、上方から箱本体に被せて箱本体の上部を覆う蓋体において、蓋体の天板部は複数板で構成して、蓋体の天板部に名刺確認のため蓋体の外側天板と内側天板に窓孔を設けて、外側天板下側と内側天板上側の間に透明の窓材をはさんで接着剤を用いずに蓋体の窓孔を覆ったことを特徴とする紙製名刺箱である。
【考案の効果】
【０００７】
このように本考案の紙製名刺箱は、接着剤を用いずに蓋体の窓孔を覆っているため糊付け工程を省けるため製造コストを低減させることができる。また、紙製品であるためリサイクルすることができ、ゴミ減量など資源の有効利用ができる。
【図面の簡単な説明】
【０００８】
【図１】本考案に係る紙製名刺箱の蓋体の展開図である。
【図２】本考案に係る紙製名刺箱の箱本体の展開図である。
【図３】本考案に係る紙製名刺箱の斜視図である。
【図４】本考案に係る紙製名刺箱の側面図である。
【図５】本考案に係る紙製名刺箱の上側平面図である。
【考案を実施するための形態】
【０００９】
この考案の紙製名刺箱は、板紙に型抜き機で型抜きされた蓋体のブランクシートと箱本体のブランクシートを組み立てる際、蓋体の天板部は複数板で構成しているため蓋体外側天板の下側と内側天板の上側の間に透明の窓材をはさんで窓孔を覆い接着剤を使用せずに組み立てを容易に行うことを実現した。
【実施例】
【００１０】
本考案に係る紙製名刺箱は、図１（７）と図２（２４）に示すような蓋体と箱本体のブランクシートを組み立ててなる。先ず、図１に示す蓋体のブランクシート（７）を説明する。
【００１１】
折線（b４）と（b６）が重なるように折線（b５）を１８０度折り曲げ、重なった折線（b４、b６）を９０度折り曲げることで、蓋体外側天板（２）と蓋体内側天板（３）が重なり合う。この時に、蓋体外側天板（２）の下側と蓋体内側天板（３）の上側の間にグラシンペーパーまたは透明紙をはさむ。つぎに、折線（a４）と（a６）が重なるように折線（a５）を１８０度折り曲げ、重なった折線（a４、a６）を９０度折り曲げる。つぎに、重なり合った、蓋体舌片を折線（b７、b８）と（a７、a８）と（b９、b１０）と（a９、a１０）をそれぞれ箱内側へ９０度折り曲げ、そして、折線（c４）と（d４）を９０度折り曲げ、折線（c５）と（d５）を１８０度折り曲げ、折線（c６）と（d６）は谷折りし、蓋体内側天板押え板（ｃ３）と（ｄ３）で固定がなされ、紙製名刺箱の蓋体となる。
【００１２】
つぎに、図２に示す箱本体のブランクシート（２４）を説明する。
折線（f４）と（f６）が重なるように折線（f５）を１８０度折り曲げ、重なった折線（f４、f６）を９０度折り曲げることで、箱本体外側底板（２２）と箱本体内側底板（２３）が重なり合う。つぎに、折線（e４）と（e６）が重なるように折線（e５）を１８０度折り曲げ、重なった折線（e４、e６）を９０度折り曲げる。つぎに、重なり合った、箱本体舌片を折線（f７、f８）と（e７、e８）と（f９、f１０）と（e９、e１０）をそれぞれ箱内側へ９０度折り曲げ、そして、折線（g４）と（h４）を９０度折り曲げ、折線（g５）と（h５）を１８０度折り曲げ、折線（g６）と（h６）は谷折りし、箱本体内側底板押え板（g３）と（h３）で固定がなされ、紙製名刺箱の箱本体となる。
【符号の説明】
【００１３】
１蓋体
２蓋体外側天板
３蓋体内側天板
４蓋体外側天板窓孔
５蓋体内側天板窓孔
６切抜指掛け部
７蓋体のブランクシート
ａ１蓋体外側側板
ａ２蓋体内側側板
ａ３蓋体内側天板押え板
ａ４折線
ａ５折線
ａ６折線
ａ７折線
ａ８折線
ａ９折線
ａ１０折線
ａ１１蓋体舌片
ａ１２蓋体舌片
ａ１３蓋体舌片
ａ１４蓋体舌片
ｂ１蓋体外側側板
ｂ２蓋体内側側板
ｂ４折線
ｂ５折線
ｂ６折線
ｂ７折線
ｂ８折線
ｂ９折線
ｂ１０折線
ｂ１１蓋体舌片
ｂ１２蓋体舌片
ｂ１３蓋体舌片
ｂ１４蓋体舌片
ｃ１蓋体外側側板
ｃ２蓋体内側側板
ｃ３蓋体内側天板押え板
ｃ４折線
ｃ５折線
ｃ６折線
ｄ１蓋体外側側板
ｄ２蓋体内側側板
ｄ３蓋体内側天板押え板
ｄ４折線
ｄ５折線
ｄ６折線
２１箱本体
２２箱本体外側底板
２３箱本体内側底板
２４箱本体のブランクシート
ｅ１箱本体外側側板
ｅ２箱本体内側側板
ｅ３箱本体内側底板押え板
ｅ４折線
ｅ５折線
ｅ６折線
ｅ７折線
ｅ８折線
ｅ９折線
ｅ１０折線
ｅ１１箱本体舌片
ｅ１２箱本体舌片
ｅ１３箱本体舌片
ｅ１４箱本体舌片
ｆ１箱本体外側側板
ｆ２箱本体内側側板
ｆ４折線
ｆ５折線
ｆ６折線
ｆ７折線
ｆ８折線
ｆ９折線
ｆ１０折線
ｆ１１箱本体舌片
ｆ１２箱本体舌片
ｆ１３箱本体舌片
ｆ１４箱本体舌片
ｇ１箱本体外側側板
ｇ２箱本体内側側板
ｇ３箱本体内側底板押え板
ｇ４折線
ｇ５折線
ｇ６折線
ｈ１箱本体外側側板
ｈ２箱本体内側側板
ｈ３箱本体内側底板押え板
ｈ４折線
ｈ５折線
ｈ６折線
【図１】
0003193124.tif 000003
【図２】
0003193124.tif 000004
【図３】
0003193124.tif 000005
【図４】
0003193124.tif 000006
【図５】
0003193124.tif 000007